(57)【要約】【課題】対象の体液に含まれる酵素の量をより正確に測定可能な酵素センサ、および電子機器を提供する。【解決手段】一対の電極と、前記一対の電極で挟持された電子伝達層と、検出対象の酵素の基質を少なくとも含む膜にて、前記検出対象の酵素以外の酵素を少なくとも１種以上内包し、前記電子伝達層と接する電子発生カプセルと、を備える、酵素センサ。【選択図】図１
2018066227.tif 000002
【特許請求の範囲】
【請求項１】
一対の電極と、
前記一対の電極で挟持された電子伝達層と、
検出対象の酵素の基質を少なくとも含む膜にて、前記検出対象の酵素以外の酵素を少なくとも１種以上内包し、前記電子伝達層と接する電子発生カプセルと、
を備える、酵素センサ。
【請求項２】
前記電子発生カプセルは、前記基質の少なくとも１段階以上の酵素反応生成物を酸化する酵素を内包する、請求項１に記載の酵素センサ。
【請求項３】
前記電子発生カプセルの形状は、略球形である、請求項１に記載の酵素センサ。
【請求項４】
前記電子伝達層は、電子を受容可能な電解質を含む、請求項１に記載の酵素センサ。
【請求項５】
前記電子伝達層は、前記電解質を含む溶液をゲル化させた層である、請求項４に記載の酵素センサ。
【請求項６】
前記電子伝達層には、凹構造が設けられ、
前記電子発生カプセルは、前記凹構造の内部に保持される、請求項１に記載の酵素センサ。
【請求項７】
少なくとも前記凹構造の開口は、イオン交換膜にて覆われている、請求項６に記載の酵素センサ。
【請求項８】
前記凹構造は、前記電子伝達層の一面に複数設けられ、かつ前記凹構造の各々の開口は、可動式の遮蔽板によって閉鎖されており、
前記遮蔽板は、前記電子発生カプセルの状態に基づいて、前記凹構造の各々の開口を開放する、請求項６に記載の酵素センサ。
【請求項９】
前記検出対象の酵素の検出信号を取得する検出部をさらに備え、
前記検出部は、前記一対の電極の間にパルス電圧を印加することで、前記検出信号を取得する、請求項１に記載の酵素センサ。
【請求項１０】
前記パルス電圧は、互いに対称な矩形波形の正負のパルス電圧である、請求項９に記載の酵素センサ。
【請求項１１】
前記検出信号は、所定の時間ごとに取得され、
前記検出信号は、前記検出対象の酵素の量に応じた大きさの電流である、請求項９に記載の酵素センサ。
【請求項１２】
前記検出対象の酵素は、アミラーゼであり、
前記電子発生カプセルの膜に含まれる基質は、でんぷんであり、
前記電子発生カプセルに内包される酵素は、マルターゼおよびグルコースオキシターゼを少なくとも含む、請求項１に記載の酵素センサ。
【請求項１３】
一対の電極、前記一対の電極で挟持された電子伝達層、および検出対象の酵素の基質を少なくとも含む膜にて、前記検出対象の酵素以外の酵素を少なくとも１種以上内包し、前記電子伝達層と接する電子発生カプセルを備える酵素センサと、
前記酵素センサにて検出した酵素の量から、前記酵素センサを装着した装着対象の状態を判断する判断部と、
判断された前記装着対象の状態に基づいて駆動する駆動部と、
を備える電子機器。
【請求項１４】
前記駆動部による駆動は、テキスト表示、画像表示、音声再生、音楽再生、発光動作、化合物の放出、または機械的動作のいずれかを少なくとも含む、請求項１３に記載の電子機器。
【請求項１５】
前記駆動部は、駆動によって前記装着対象の状態を特定の状態に誘導する、請求項１３に記載の電子機器。
【発明の詳細な説明】
【技術分野】
【０００１】
本開示は、酵素センサ、および電子機器に関する。
【背景技術】
【０００２】
近年、医学的研究の進展により、生体では、精神的または肉体的状態によって、分泌される酵素の量が変化することが明らかになっている。【０００３】
そこで、対象の体液（例えば、唾液、血液など）の成分を測定し、対象の精神的または肉体的状態を把握することで、病気等の兆候を検出し、病気等を未然に防ぐことが検討されている。このような目的を達成するために、生体の体液の成分を簡便、かつ精密に測定することが可能な酵素センサが求められている。【０００４】
例えば、下記の特許文献１には、光学的手法によって唾液に含まれるアミラーゼの量を検出することで、ユーザの精神的状態を推定する酵素センサが開示されている。また、下記の特許文献１には、酵素センサによって推定したユーザの精神的状態に基づいて、ユーザの精神的状態を特定の状態に誘導することが開示されている。
【先行技術文献】
【特許文献】
【０００５】
【特許文献１】国際公開第２０１６／０４２９０８号
【発明の概要】
【発明が解決しようとする課題】
【０００６】
しかし、上記の特許文献１に開示された酵素センサは、酵素による不可逆的な反応にて生成される色素の蓄積量を光学的に検出することで、酵素の量を測定するため、酵素の量の変動を精密に測定することは困難であった。【０００７】
そこで、本開示では、生体の体液に含まれる酵素の量をより精密に測定することが可能な、新規かつ改良された酵素センサ、および電子機器を提案する。
【課題を解決するための手段】
【０００８】
本開示によれば、一対の電極と、前記一対の電極で挟持された電子伝達層と、検出対象の酵素の基質を少なくとも含む膜にて、前記検出対象の酵素以外の酵素を少なくとも１種以上内包し、前記電子伝達層と接する電子発生カプセルと、を備える、酵素センサが提供される。【０００９】
また、本開示によれば、一対の電極、前記一対の電極で挟持された電子伝達層、および検出対象の酵素の基質を少なくとも含む膜にて、前記検出対象の酵素以外の酵素を少なくとも１種以上内包し、前記電子伝達層と接する電子発生カプセルを備える酵素センサと、前記酵素センサにて検出した酵素の量から、前記酵素センサを装着した装着対象の状態を判断する判断部と、判断された前記装着対象の状態に基づいて駆動する駆動部と、を備える電子機器が提供される。【００１０】
本開示によれば、検出対象の酵素の存在を電解質への電子の受容および放出という可逆的な機構によって電流に変換することが可能である。
【発明の効果】
【００１１】
以上説明したように本開示によれば、対象の体液に含まれる酵素の量をより精密に測定することが可能である。【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の第１の実施形態に係る酵素センサのセンサ部の構造例を示す斜視図である。
【図２】光学的手法を用いたアミラーゼセンサの概要を示す模式図である。
【図３】本開示の第１の実施形態に係る酵素センサの制御の構成例を示すブロック図である。
【図４】センサ部の一対の電極に印加される電圧と、電流との関係を示すグラフ図である。
【図５】検出部によって検出された電流の測定値および積算値を模式的に示したグラフ図である。
【図６】同実施形態に係る酵素センサの動作の一例を示すフローチャート図である。
【図７Ａ】同実施形態に係る酵素センサの製造の一工程を示す斜視図である。
【図７Ｂ】同実施形態に係る酵素センサの製造の一工程を示す斜視図である。
【図７Ｃ】同実施形態に係る酵素センサの製造の一工程を示す斜視図である。
【図７Ｄ】同実施形態に係る酵素センサの製造の一工程を示す斜視図である。
【図７Ｅ】同実施形態に係る酵素センサの製造の一工程を示す斜視図である。
【図７Ｆ】同実施形態に係る酵素センサの製造の一工程を示す斜視図である。
【図８Ａ】同実施形態に係る酵素センサに用いられる電子発生カプセルの製造の一工程を示す断面図である。
【図８Ｂ】同実施形態に係る酵素センサに用いられる電子発生カプセルの製造の一工程を示す断面図である。
【図８Ｃ】同実施形態に係る酵素センサに用いられる電子発生カプセルの製造の一工程を示す断面図である。
【図９】本開示の第２の実施形態に係る電子機器の構成を説明するブロック図である。
【図１０】第１の具体例に係る酵素センサの構造を示す斜視図である。
【図１１】第１の具体例に係る酵素センサの変形例を示す斜視図である。
【図１２】同具体例に係る酵素センサの装着時の一様態を示す斜視図である。
【図１３】同具体例に係る酵素センサの装着時の他の様態を示す斜視図である。
【図１４】同具体例に係る酵素センサの装着時の他の様態を示す斜視図である。
【図１５】同具体例に係る電子機器の構成を説明するブロック図である。
【図１６】第２の具体例に係る酵素センサの構造の一例を示す斜視図である。
【図１７】第２の具体例に係る酵素センサの構造の他の例を示す斜視図である。
【図１８】第３の具体例に係る酵素センサの構造の一例を示す斜視図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
０．本開示に係る技術に至った背景
１．第１の実施形態
１．１．酵素センサのセンサ部の構造例
１．２．酵素センサの制御の構成例
１．３．酵素センサの動作例
１．４．酵素センサの製造方法
２．第２の実施形態
３．具体例
３．１．第１の具体例
３．２．第２の具体例
３．３．第３の具体例
４．まとめ
【００１６】
＜０．本開示に係る技術に至った背景＞
まず、図２を参照して、本発明者らが本開示に係る技術を想到するに至った背景について説明する。
【００１７】
近年、医学的研究の進展により、生体では、精神的または肉体的状態によって、体液中に含まれる酵素の量が変化することが明らかになっている。例えば、唾液中に含まれる酵素であるアミラーゼは、精神的ストレスによって増加することが明らかになっている。
【００１８】
精神的ストレスは、現代社会において、健康に対して重大な影響を及ぼす因子として知られている。例えば、多大な精神的ストレスによって引き起こされるうつ病は、不眠、過眠、食欲不振、過食、頭痛、および倦怠感などの身体症状を伴い、労働意欲の低下、およびさらなる病気への発展等を招いてしまう。また、一度、うつ病を発症した場合、治療によって症状を軽減することは可能であるものの、完治することは難しい。したがって、うつ病を未然に防ぎ、健康を維持および管理するために、原因となる精神的ストレスを検出し、曝される精神的ストレスの量を制御することが、社会的に求められている。
【００１９】
ここで、酵素は、酸素等によって失活しやすいため、酵素の量を測定する場合は、酵素が分泌されるその場で、かつリアルタイムで検出を行うことが望ましい。例えば、アミラーゼの量を検出する場合には、口腔内で、唾液に含まれるアミラーゼの量をリアルタイムで検出することが望ましい。
【００２０】
具体的には、図２に示す光学的手法を用いたアミラーゼセンサが検討されている。図２は、光学的手法を用いたアミラーゼセンサ１０の概要を示す模式図である。
【００２１】
図２に示すように、アミラーゼセンサ１０は、フォトダイオード１５、カラーフィルタ１３、およびクロモゲン層１１を順に積層した構造を備える。
【００２２】
クロモゲン層１１は、アミラーゼ２１との酵素反応によって色素を生成する物質を含む層である。例えば、クロモゲン層１１は、Ｇａｌ−Ｇ２−ＣＮＰ（２−ｃｈｌｏｒｏ−４−ｎｉｔｒｏｐｈｅｎｙｌ−４−ｇａｌａｃｔｏｐｙｒａｎｏｓｙｌｍａｌｔｏｓｉｄｅ）含む層である。クロモゲン層１１に含まれるＧａｌ−Ｇ２−ＣＮＰは、アミラーゼ２１によって加水分解されることで、黄色を呈するＣＮＰ（２−ｃｈｌｏｒｏ−４−ｎｉｔｒｏｐｈｅｎｏｌ）を遊離する。したがって、アミラーゼセンサ１０は、フォトダイオード１５を用いた光学的手法によってＣＮＰの単位時間当たりの変化量を測定することで、アミラーゼ２１の量を推定することができる。
【００２３】
カラーフィルタ１３は、特定の色に対応する波長帯域の光のみを透過させる膜である。例えば、カラーフィルタ１３は、黄色の光を透過させ、他の色の光を吸収する膜である。これにより、カラーフィルタ１３は、背景光２３から、遊離したＣＮＰが呈する黄色に対応した波長帯域の光を分離する。
【００２４】
フォトダイオード１５は、カラーフィルタ１３を透過した光を電子２５に変換する光電変換素子である。例えば、フォトダイオード１５は、不純物をドーピングされたシリコン（Ｓｉ）で構成されるフォトダイオードである。なお、フォトダイオード１５には、フォトダイオード１５によって生成されたアナログ信号をデジタル信号に変換するＡＤ（Ａｎａｌｏｇ−ｔｏ−Ｄｉｄｉｔａｌ）コンバータ、および変換されたデジタル信号を増幅するアンプなどが備えられる。
【００２５】
このような構成により、アミラーゼセンサ１０では、まず、クロモゲン層１１に含まれるＧａｌ−Ｇ２−ＣＮＰがアミラーゼ２１によって加水分解され、ＣＮＰが遊離することで、白色であったクロモゲン層１１が黄色に変化する。次に、フォトダイオード１５によって、背景光２３の下でクロモゲン層１１が呈する黄色の強度に応じて光電変換が行われ、光子が電子２５に変換される。したがって、アミラーゼセンサ１０は、クロモゲン層１１が呈する黄色の強度の単位時間当たりの変化量を測定することができるため、アミラーゼ２１の量を測定することができる。
【００２６】
しかしながら、図２で示したアミラーゼセンサ１０では、アミラーゼ２１と、Ｇａｌ−Ｇ２−ＣＮＰとの反応は不可逆的な反応であるため、測定を続けることで、クロモゲン層１１にはＣＮＰが蓄積してしまう。したがって、図２で示したアミラーゼセンサ１０では、アミラーゼ２１の量の減少を正確に測定することは困難であった。
【００２７】
また、ＣＮＰは自発光しないため、暗い口腔内でＣＮＰの黄色光をフォトダイオード１５によって検出するには、発光素子等が発する背景光２３が必要であった。そのため、発光素子を設けることで、アミラーゼセンサ１０は、装置として大きくなってしまうため、口腔内で違和感なく長時間装着することが困難であった。
【００２８】
したがって、酵素が分泌されるその場で、かつリアルタイムで、酵素の量を測定することが可能な小型かつ簡易な構造の酵素センサが求められていた。また、酵素の量を精密に測定するために、酵素センサにて酵素の量を検出信号に変換する機構は、可逆的とすることが望まれていた。
【００２９】
本発明者らは、上記の要請等を鋭意検討することで、本開示に係る技術を想到するに至った。本開示では、簡易な構造であり、かつ酵素の量をより精密に測定することが可能な酵素センサ、および該酵素センサによって測定された情報に基づいて駆動する電子機器を提案する。
【００３０】
＜１．第１の実施形態＞
（１．１．酵素センサのセンサ部の構造）
まず、図１を参照して、本開示の第１の実施形態に係る酵素センサが備えるセンサ部の構造例について説明する。図１は、本開示の第１の実施形態に係る酵素センサのセンサ部１００の構造例を示す斜視図である。
【００３１】
図１に示すように、本実施形態に係る酵素センサのセンサ部１００は、一対の電極１１０、１２０と、一対の電極１１０、１２０で挟持された電子伝達層１３０と、電子伝達層１３０の凹構造の内部に保持された電子発生カプセル１４０と、を備える。
【００３２】
一対の電極１１０、１２０は、検出対象の酵素との反応によって生成された電子を検出信号として取り出す出力部として機能する。具体的には、一対の電極１１０、１２０は、電極間に電圧を印加することによって、電子伝達層１３０を介して、電子発生カプセル１４０にて生成された電子を取り出すことができる。
【００３３】
例えば、一対の電極１１０、１２０は、導電性を有する材料を用いて、電子伝達層１３０を挟持する一対の平行な平板として設けられてもよい。具体的には、一対の電極１１０、１２０は、銅（Ｃｕ）、銀（Ａｇ）、白金（Ｐｔ）、アルミニウム（Ａｌ）、タングステン（Ｗ）、またはチタン（Ｔｉ）などの金属の単体または合金にて形成されてもよく、グラファイト、または無定形炭素などの炭素材料にて形成されてもよい。ただし、酵素センサのセンサ部１００は、生体の体液と接触するように装着されるため、一対の電極１１０、１２０は、錆等の腐食が発生しにくい金属、または炭素材料にて形成されてもよい。
【００３４】
なお、一対の電極１１０、１２０は、一方がアノードとして機能し、他方がカソードとして機能するが、一対の電極１１０、１２０の極性は、検出信号の取り出しの方向によって、適宜設定することが可能である。
【００３５】
電子伝達層１３０は、電子発生カプセル１４０と接触し、かつ一対の電極１１０、１２０にて挟持されており、電子発生カプセル１４０にて生成された電子を電極１１０、１２０のいずれか（すなわち、アノード）に伝達する。具体的には、電子伝達層１３０は、電子を受容可能な電解質を含み、該電解質によって電子を電極１１０、１２０のアノード側に伝達する。例えば、電子伝達層１３０は、電解質を含む溶液をゲル化することによって形成されてもよい。
【００３６】
電子伝達層１３０に含まれる電解質は、可逆的に電子の受容および放出を行うことが可能な物質であれば特に限定されず、公知の物質を用いることができるが、例えば、フェリシアン化物イオンを用いてもよい。フェリシアン化物イオン（［Ｆｅ（ＣＮ）６］３−）は、酸化還元反応によって、フェロシアン化物イオン（［Ｆｅ（ＣＮ）６］４−）に可逆的に変化することが可能な電解質である。すなわち、フェリシアン化物イオン（［Ｆｅ（ＣＮ）６］３−）は、フェロシアン化物イオン（［Ｆｅ（ＣＮ）６］４−）に変化することで電子を受容し、電極１１０、１２０のいずれかでフェリシアン化物イオン（［Ｆｅ（ＣＮ）６］３−）に戻ることで電子を放出することができる。なお、電子伝達層１３０に含まれる電解質としては、フェリシアン化物イオン以外では、ベンゾキノン等を用いることができる。
【００３７】
また、電子伝達層１３０では、一対の電極１１０、１２０に挟持されていない面に少なくとも１つ以上の凹構造が設けられ、該凹構造中に電子発生カプセル１４０が保持されてもよい。電子伝達層１３０に凹構造を設けることにより、電子伝達層１３０は、電子発生カプセル１４０を確実に保持することができる。また、電子伝達層１３０は、電子発生カプセル１４０との接触面積を増加させることができる。
【００３８】
なお、凹構造は、電子伝達層１３０に複数設けられてもよく、凹構造中には、複数の電子発生カプセル１４０が保持されてもよい。例えば、凹構造の数を増やした場合、電子伝達層１３０と、電子発生カプセル１４０との接触面積を増加させることができる。また、凹構造中の電子発生カプセル１４０の数を増やした場合、アミラーゼと、電子発生カプセル１４０との反応サイトを増加させることができる。電子伝達層１３０に設けられる凹構造の数、および該凹構造の内部に設けられる電子発生カプセル１４０の数は、適宜、設定することが可能である。
【００３９】
電子発生カプセル１４０は、検出対象の酵素との酵素反応によって電子を発生させる反応サイトを有し、検出対象の酵素の量に応じて、電子を発生させる。具体的には、電子発生カプセル１４０は、検出対象の酵素の基質を少なくとも含む外膜１４１で、検出対象以外の酵素を少なくとも１種以上含む内溶液１４３を内包した構造を有する。
【００４０】
外膜１４１は、検出対象の酵素の基質を含み、検出対象の酵素と、酵素センサのセンサ部１００との反応サイトとして機能する。したがって、外膜１４１によって形成される電子発生カプセル１４０の形状は、検出対象の酵素との反応サイトである表面の面積がより大きくなるように、略球形としてもよい。
【００４１】
また、外膜１４１は、内溶液１４３がセンサ部１００の外部に漏出しないように、内溶液１４３を電子発生カプセル１４０の内部に留める機能を果たす。そのため、外膜１４１には、膜としての強度を高めるために、検出対象の酵素の基質以外にも、脂質、タンパク質、または炭水化物等が膜構成成分として含まれていてもよい。
【００４２】
内溶液１４３に含まれる酵素は、酸化酵素を少なくとも含む。また、酸化酵素の基質は、外膜１４１に含まれる基質の少なくとも１段階以上の酵素反応によって生成される生成物である。これにより、酸化酵素は、検出対象の酵素の反応によって生成された生成物を酸化することで、生成物から電子を取り出すことができる。また、内溶液１４３に含まれる酵素は、検出対象の酵素と、外膜１４１に含まれる基質との反応の生成物をさらに基質とする酵素を含んでもよい。このとき、内溶液１４３に含まれる酸化酵素は、検出対象の酵素、および内溶液１４３に含まれる酵素による複数段階の反応の最終的な生成物を基質とすることになる。
【００４３】
また、内溶液１４３には、酵素を溶解する溶媒（例えば、水など）、および酵素を安定させる機能性高分子等がさらに含まれていてもよい。例えば、内溶液１４３には、生体適合性が高いＰＭＥＨ（２−メタクリロイルオキシエチルホスホリルコリンと、２−エチルヘキシルメタクリレートとの共重合体）の水分散溶液がさらに含まれていてもよい。
【００４４】
具体的には、電子発生カプセル１４０と、検出対象の酵素との反応は、次のように進行する。まず、検出対象の酵素と、外膜１４１に含まれる基質とが反応し、基質の酵素反応生成物が生成される。続いて、生成された酵素反応生成物は、浸透圧の差によって内部からにじみ出た内溶液１４３に含まれる酸化酵素によって酸化され、電子を放出する。放出された電子は、電子伝達層１３０に含まれる電解質によって受容され、前述したように電極１１０、１２０のいずれかから取り出される。
【００４５】
例えば、検出対象の酵素がアミラーゼである場合、電子発生カプセル１４０の外膜１４１は、アミラーゼの基質であるでんぷんを少なくとも含んで構成されてもよく、内溶液１４３は、マルターゼ、およびグルコースオキシダーゼを少なくとも含んで構成されてもよい。
【００４６】
このような場合、まず、検出対象であるアミラーゼと、外膜１４１に含まれるでんぷんとが反応し、マルトースが生成される。次に、浸透圧の差によって外膜１４１ににじみ出した内溶液１４３に含まれるマルターゼと、マルトースとが反応することで、グルコースが生成される。続いて、内溶液１４３に含まれるグルコースオキシダーゼと、グルコースとが反応することで、グルコースから電子が取り出される。また、グルコースから取り出された電子は、電子伝達層１３０に含まれるフェリシアン化物イオン等によって受容される。これにより、フェリシアン化物イオンは、フェロシアン化物イオンに変化する。
【００４７】
上記の反応を化学式で記述すると、以下の化学式１〜２のようになる。
【００４８】
【化１】
2018066227.tif 000003
【００４９】
以上のような構造を有するセンサ部１００を備える酵素センサによれば、電子発生カプセル１４０の外膜１４１に含まれる基質が検出対象の酵素の反応によって消費されるまで、検出対象の酵素を検出することが可能である。
【００５０】
また、センサ部１００は、少なくとも電子伝達層１３０の凹構造の開口を覆うイオン交換膜をさらに備えていてもよい。イオン交換膜は、電子発生カプセル１４０の内溶液１４３、または電子伝達層１３０に含まれる電解質等がセンサ部１００から体液中に漏出することを防止する。
【００５１】
センサ部１００では、電子発生カプセル１４０の外膜１４１に含まれる基質の消費によって、外膜１４１に内包される内溶液１４３が漏出したり、体液に含まれる水分によって、電子伝達層１３０に含まれる電解質が溶出したりする可能性がある。そこで、体液と接触するセンサ部１００は、これらの内溶液１４３および電解質を体液中に漏出させないように、電子伝達層１３０を覆うイオン交換膜をさらに備えていてもよい。イオン交換膜を備える場合でも、センサ部１００は、イオン交換膜を介して、検出対象の酵素と、電子発生カプセル１４０との反応を行うことが可能である。
【００５２】
なお、電子伝達層１３０に含まれる電解質が陰イオン（例えば、フェリシアン化物イオン）である場合、電子伝達層１３０に含まれる電解質の漏出を防止するためには、イオン交換膜は、陽イオン交換膜としてもよい。また、電子伝達層１３０に含まれる電解質が陽イオンである場合、イオン交換膜は、陰イオン交換膜であってもよい。
【００５３】
（１．２．酵素センサの制御の構成例）
次に、図３〜図５を参照して、本実施形態に係る酵素センサの制御の構成例について説明する。図３は、本実施形態に係る酵素センサ１の制御の構成例を示すブロック図である。
【００５４】
図３に示すように、酵素センサ１は、図１で示したセンサ部１００と、センサ部１００を制御するロジック部１５０と、を備える。また、ロジック部１５０は、電圧制御部１５１と、検出部１５３と、アラート部１５５と、出力部１５７と、を備える。
【００５５】
センサ部１００については、図１を参照して上述したとおりであるため、以下では、ロジック部１５０の各構成について説明する。なお、ロジック部１５０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）などのハードウェアと、各構成の動作を制御するソフトウェアとの協働によって実現される。
【００５６】
電圧制御部１５１は、検出対象の酵素の量を測定するために、センサ部１００の一対の電極１１０、１２０の間に印加される電圧を制御する。具体的には、電圧制御部１５１は、一対の電極１１０、１２０の間に矩形のパルス電圧を印加するように電圧を制御する。
【００５７】
検出部１５３は、センサ部１００の一対の電極１１０、１２０の間に流れる電流を測定することで、検出対象の酵素の量を検出する。具体的には、電圧制御部１５１によって電極１１０、１２０の間に矩形のパルス電圧が印加された場合、電子伝達層１３０の電子を受容した電解質（例えば、フェロシアン化物イオン）は、アノード側の電極に電子を放出し、電子を受容していない電解質（例えば、フェリシアン化物イオン）に戻る。このとき、放出された電子によって一対の電極１１０、１２０の間に電流が流れる。
【００５８】
そのため、検出部１５３は、一対の電極１１０、１２０の間に流れる電流の大きさを検出することで、電子を受容した電解質（例えば、フェロシアン化物イオン）の量を検出することができる。さらに、電子を受容した電解質（例えば、フェロシアン化物イオン）の量は、検出対象の酵素と電子発生カプセル１４０との反応量に依存するため、検出部１５３は、一対の電極１１０、１２０の間に流れる電流の大きさから、検出対象の酵素の量を算出することができる。
【００５９】
ここで、図４を参照して、電圧制御部１５１による電圧の印加と、検出部１５３による電流の検出とについて、より具体的に説明する。図４は、センサ部１００の一対の電極１１０、１２０に印加される電圧と、電流との関係を示すグラフ図である。なお、以下では、簡略化のため、電子伝達層１３０に含まれる電解質は、フェリシアン化物イオンであるとして説明する。
【００６０】
図４に示すように、まず、検出対象の酵素と、電子発生カプセル１４０との反応のために、時間ｔｒ（例えば、３０秒程度）をあけた後、電圧制御部１５１は、一対の電極１１０、１２０の間に、時間幅ｔｐ（例えば、１μ秒程度）、および電圧Ｖｐ（例えば、１００ｍＶ程度）の正の矩形パルス電圧を印加する。これにより、電子伝達層１３０に含まれるフェロシアン化物イオン（［Ｆｅ（ＣＮ）６］４−）は、素早くアノード側の電極に引き寄せられて、電子を放出し、フェリシアン化物イオン（［Ｆｅ（ＣＮ）６］３−）に変化する。したがって、検出部１５３は、アノード側の電極に放出された電子によって、Ｉｓの大きさの測定電流を得ることができる。
【００６１】
さらに、電圧制御部１５１は、測定電流を得たパルス電圧と対称の負のパルス電圧を一対の電極１１０、１２０の間に印加する。すなわち、負のパルス電圧は、時間幅ｔｐ（例えば、１秒程度）、および電圧−Ｖｐ（例えば、１００ｍＶ程度）の負の矩形パルス電圧である。電子伝達層１３０では、正の矩形パルス電圧の印加によって、フェリシアン化物イオンがアノード側に引き寄せられるため、対称の負の矩形パルス電圧を印加することで、電子伝達層１３０におけるフェリシアン化物イオンの分布を元に戻すことができる。
【００６２】
このように、酵素センサ１は、電圧制御部１５１にて、周期ｔｄ（ｔｄ＝ｔｒ＋２ｔｐ）の正負の矩形のパルス電圧をセンサ部１００の一対の電極１１０、１２０に印加することで、検出部１５３にて検出対象の酵素の量に応じた測定電流を得ることができる。
【００６３】
なお、電圧制御部１５１によって印加されるパルス電圧は、上述したような短時間のパルス電圧で問題ない。具体的には、電圧Ｖの印加中のフェロシアン化物イオン（電荷Ｑ、質量Ｍ）の運動方程式は、以下の数式１および２のとおりであるから、これらを解くことでフェロシアン化物イオンの加速度ａが求められる。この結果から、フェロシアン化物イオンがアノード側の電極までの距離Ｌを移動する時間ｔを数式３から算出すると、１マイクロ秒となる。よって、電圧制御部１５１によって印加されるパルス電圧は、上述したような短時間のパルス電圧で問題ない。なお、μは、電子伝達層１３０を移動中のフェロシアン化物イオンの実効的な摩擦係数である。
【００６４】
【数１】
2018066227.tif 000004
【００６５】
上記の数式１〜３において、各変数は、以下のように仮定した。
Ｖ＝０．４（Ｖ）、Ｑ＝４ｅ（Ｃ）、Ｍ＝２１２Ｍｐ、Ｌ＝１０（μｍ）、μ＝０．０１
【００６６】
アラート部１５５は、電子発生カプセル１４０の外膜１４１に含まれる基質の消費量を監視し、酵素センサ１の交換のタイミングを判断する。電子発生カプセル１４０の外膜１４１に含まれる基質は、検出対象の酵素との反応によって消費されるため、酵素センサ１による測定の進行に伴って減少する。
【００６７】
そのため、酵素センサ１による測定を続行するためには、電子発生カプセル１４０の外膜１４１に含まれる基質がすべて消費される前に、酵素センサ１を交換することが求められる。具体的には、アラート部１５５は、検出部１５３が検出した測定電流の積算値に基づいて、酵素センサ１の交換のタイミングを判断する。また、アラート部１５５は、出力部１５７を介して、表示、音声、または信号によって、酵素センサ１を交換するようにユーザに通知してもよい。
【００６８】
ここで、図５を参照して、アラート部１５５による酵素センサ１の交換のタイミングの判断について、より具体的に説明する。図５は、検出部１５３によって検出された電流の測定値および積算値を模式的に示したグラフ図である。
【００６９】
図５に示すように、検出部１５３は、時間ｔｄの周期で検出対象の酵素の量に応じた電流を検出している場合、アラート部１５５は、検出部１５３が測定した電流値を積算し、積算値が閾値Ｉｓｈを超えた際に、酵素センサ１を交換するようにユーザに通知を行ってもよい。
【００７０】
検出部１５３が検出する電流値は、電子伝達層１３０に含まれる電子を受容した電解質の量、すなわち、検出対象の酵素と電子発生カプセル１４０との反応量に比例している。したがって、検出部１５３が測定した電流の積算値は、電子発生カプセル１４０の外膜１４１に含まれる基質の消費量と比例している。そのため、アラート部１５５は、検出部１５３が測定した電流の積算値を判断に用いることで、酵素センサ１の交換のタイミング（図４では、時間軸にて矢印で示したタイミング）を適切に判断することが可能である。
【００７１】
出力部１５７は、ユーザまたは外部機器に、検出部１５３によって検出された電流値に基づいた情報を出力する。例えば、出力部１５７は、検出部１５３によって検出された電流値に基づいて、酵素の活性度に関する情報を出力してもよい。具体的には、出力部１５７は、平時の酵素の量に対応した電流値を「基準電流値」として測定しておき、以下の数式４に基づいて計算を行うことで、検出された「測定電流値」から「酵素の活性度」を算出し、算出した「酵素の活性度」を出力してもよい。
【００７２】
【数２】
2018066227.tif 000005
【００７３】
分泌される酵素の量は、生体ごとに固体差があるため、上述のように平時の酵素の量に対する割合の増減にて、酵素の活性度を示すことで、対象となる生体における酵素の分泌量の程度をより正確に示すことが可能である。
【００７４】
ここで、検出対象の酵素がアミラーゼである場合、生体におけるアミラーゼの分泌量は、該生体に対する精神的ストレスの量に対応する。そのため、例えば、酵素センサ１を用いてアミラーゼの活性度を測定することで、酵素センサ１を装着した対象における精神的ストレスの度合いを見積もることが可能である。
【００７５】
なお、出力部１５７は、検出対象の酵素の活性度ではなく、検出部１５３によって検出された電流値を出力してもよい。このような場合、検出対象の酵素の活性度の算出は、出力された電流値を取得した外部機器（例えば、スマートフォン、またはパーソナルコンピュータ等の情報処理装置）にて行われてもよい。
【００７６】
また、出力部１５７は、ユーザまたは外部機器に、酵素の活性度に関する情報以外の他の情報を出力してもよい。具体的には、出力部１５７は、アラート部１５５によって発行された酵素センサ１を交換することをユーザに求める通知を出力してもよい。
【００７７】
例えば、出力部１５７は、ＬＣＤ（Ｌｉｑｕｉｄ  Ｃｒｙｓｔａｌ  Ｄｉｓｐｌａｙ）装置などの表示装置にて情報を出力してもよく、スピーカなどの音声出力装置にて情報を出力してもよい。また、出力部１５７は、有線もしくは無線ＬＡＮ（Ｌｏｃａｌ  Ａｒｅａ  Ｎｅｔｗｏｒｋ）、Ｂｌｕｅｔｏｏｔｈ（登録商標）、またはＷｉ−Ｆｉ（登録商標）などを介して、外部の表示装置または音声出力装置に対して、情報を出力してもよい。
【００７８】
以上の構成によれば、本実施形態に係る酵素センサ１は、非侵襲、かつリアルタイムで、酵素センサ１を装着した対象の体液に含まれる酵素の活性度、および精神的または肉体的状態を測定することが可能である。
【００７９】
（１．３．酵素センサの動作例）
次に、図６を参照して、本実施形態に係る酵素センサ１の動作例について説明する。図６は、本実施形態に係る酵素センサ１の動作の一例を示すフローチャート図である。
【００８０】
図６に示すように、酵素センサ１では、まず、測定開始後の経過時間がｔｄに達したか否かが判断される（Ｓ１０１）。経過時間がｔｄに達していない場合（Ｓ１０１／Ｎｏ）、経過時間のカウントを増加させて（Ｓ１１７）、再度、経過時間がｔｄに達したか否かの判断を行う。一方、経過時間がｔｄに達した場合（Ｓ１０１／Ｙｅｓ）、まず、経過時間がリセットされる（Ｓ１０３）。その後、電圧制御部１５１によってセンサ部１００の一対の電極１１０、１２０の間に正のパルス電圧が印加される（Ｓ１０５）。
【００８１】
次に、検出部１５３によってセンサ部１００の電子伝達層１３０に含まれる電解質に受容された電子の量に基づいた電流値変化が検出される（Ｓ１０７）。その後、電圧制御部１５１によってセンサ部１００の一対の電極１１０、１２０の間に負のパルス電圧が印加される（Ｓ１０９）。これにより、アノード側の電極に引き寄せられていた電解質が再び電子伝達層１３０に均一に分布するようになる。
【００８２】
続いて、アラート部１５５によって電流の積算値が算出される（Ｓ１１１）。また、アラート部１５５によって電流の積算値が閾値に達したか否かが判断される（Ｓ１１３）。電流の積算値が閾値に達していない場合（Ｓ１１３／Ｎｏ）、酵素センサ１による測定が続行される。具体的には、経過時間のカウントを増加させた後（Ｓ１１７）、再度、経過時間がｔｄに達したか否かの判断が行われ、検出対象の酵素の量の測定が行われる。一方、電流の積算値が閾値に達した場合（Ｓ１１３／Ｙｅｓ）、アラート部１５５によって酵素センサ１の交換を通知するアラートが発行される（Ｓ１１５）。アラート部１５５によって発行されたアラートは、例えば、出力部１５７を介して、酵素センサ１の装着者、またはユーザに通知される。
【００８３】
以上の動作によれば、本実施形態に係る酵素センサ１は、酵素センサ１を装着した対象の体液に含まれる酵素の量を測定することが可能である。また、酵素センサ１は、酵素センサ１の適切な交換のタイミングをユーザに通知することが可能である。
【００８４】
（１．４．酵素センサの製造方法）
次に、図７Ａ〜図８Ｃを参照して、本実施形態に係る酵素センサ１の製造方法について説明する。図７Ａ〜図７Ｆは、本実施形態に係る酵素センサ１の製造の各工程を示す斜視図である。
【００８５】
図７Ａに示すように、まず、ビアおよびトランジスタ等で構成されたロジック回路が形成された基板（図示せず）の上に、スパッタ等を用いて、電極１２０が形成される。電極１２０は、例えば、銀（Ａｇ）、または炭素（Ｃ）にて形成することができる。また、電極１２０は、数百μＡ〜１ｍＡ程度の電流の出力を検出できるように、界面欠陥が生じにくい成膜プロセスで形成されてもよい。
【００８６】
続いて、図７Ｂに示すように、電極１２０の上に、電子伝達材料層１３１が形成される。電子伝達材料層１３１は、例えば、フェリシアン化カリウム溶液を電極１２０の上に塗布した後、該溶液をゲル化することで形成することができる。
【００８７】
次に、図７Ｃに示すように、電子伝達材料層１３１の上に、スパッタ等を用いて、電極１１０が形成される。電極１１０は、例えば、電極１２０と同様の材料で形成することができる。
【００８８】
続いて、図７Ｄに示すように、電極１１０、１２０で挟持されていない電子伝達材料層１３１の一面に、ナノインプリント法等を用いて、複数の凹構造が形成され、電子伝達層１３０が形成される。
【００８９】
次に、図７Ｅに示すように、電子伝達層１３０の凹構造の内部に、複数の電子発生カプセル１４０が配置される。電子発生カプセル１４０の形成方法については、図８Ａ〜図８Ｃを参照して、後述する。
【００９０】
さらに、図７Ｆに示すように、電子伝達層１３０の凹構造の内部に、複数の電子発生カプセル１４０を半ばまで浸すように電子伝達層１３０を構成する溶液が流し込まれる。また、電子伝達層１３０の凹構造の内部に流し込まれた溶液は、ゲル化される。電子伝達層１３０を構成する溶液は、例えば、フェリシアン化カリウム溶液を用いることができる。
【００９１】
ここで、図８Ａ〜図８Ｃを参照して、酵素センサ１に用いられる電子発生カプセル１４０の製造方法について説明する。図８Ａ〜図８Ｃは、酵素センサ１に用いられる電子発生カプセル１４０の製造の各工程を示す断面図である。
【００９２】
図８Ａに示すように、電子発生カプセル１４０を形成するために、まず、半球形状を有する鋳型１４６に外膜１４１の材料を塗布する。外膜１４１の材料としては、でんぷんを用いることができる。でんぷんは、加水後、加熱または冷却することによって、糊化状態と老化状態とを可逆的に変化させることができるため、でんぷんの状態を適宜調整し、粘度を最適化することによって、鋳型１４６にでんぷんを塗布することができる。
【００９３】
次に、図８Ｂに示すように、外膜１４１の材料を塗布した鋳型１４６の中に内溶液１４３を塗布し、乾燥させる。内溶液１４３は、例えば、グルコースオキシダーゼ、およびマルターゼをＰＭＥＨによって安定化させた水分散溶液であってもよい。ＰＭＥＨにより、グルコースオキシダーゼ、およびマルターゼは、電子発生カプセル１４０の内部に安定して固定化されうる。
【００９４】
続いて、図８Ｃに示すように、内溶液１４３を塗布した後の鋳型１４６の上に、さらに外膜１４１の材料を塗布することで、外膜１４１の内部に内溶液１４３を封止する。さらに、図８Ｃにて形成した半球形状の電子発生カプセル１４０を鋳型１４６から取り出し、互いに平面同士を貼り合せることで、略球形状の電子発生カプセル１４０を形成することができる。なお、電子発生カプセル１４０の形状を略球形状としない場合、図８Ｃにて形成した半球形状のままでも、電子発生カプセル１４０として用いることが可能である。
【００９５】
以上の工程によって、本実施形態に係る酵素センサ１を製造することができる。なお、上記の製造方法は、あくまでも一例であって、本実施形態に係る酵素センサ１の製造方法が上記に限定されるものではない。
【００９６】
＜２．第２の実施形態＞
次に、図９を参照して、本開示の第２の実施形態に係る電子機器１０００について説明する。図９は、本開示の第２の実施形態に係る電子機器１０００の構成を説明するブロック図である。
【００９７】
図９に示すように、電子機器１０００は、本開示の第１の実施形態に係る酵素センサ１と、判断部１６０と、駆動部１７０と、を備える。すなわち、本開示の第２の実施形態に係る電子機器１０００は、本開示の第１の実施形態に係る酵素センサ１から得られる検出対象の酵素の量に基づいて、酵素センサ１を装着した対象の状態を判断し、判断した対象の状態に対応した駆動を行う電子機器である。なお、酵素センサ１については、第１の実施形態で説明したとおりであるため、ここでの説明は省略する。
【００９８】
判断部１６０は、酵素センサ１の測定結果に基づいて、酵素センサ１を装着した対象の状態を判断する判断回路、またはプログラムである。判断部１６０は、例えば、酵素の活性度に基づいて、酵素センサ１を装着した対象の病気の有無を判断してもよく、酵素センサ１を装着した対象の精神的ストレスの度合いを判断してもよい。
【００９９】
駆動部１７０は、判断部１６０の判断に基づいて、酵素センサ１を装着した対象の状態に応じた動作を行う駆動回路、またはプログラムである。具体的には、駆動部１７０は、酵素センサ１を装着した対象の状態を平時の状態に戻すように動作してもよく、酵素センサ１を装着した対象の状態を特定の状態に誘導するように動作してもよい。駆動部１７０による出力は、例えば、テキストもしくは映像の表示、発光、音声もしくは音楽等の再生、香り（匂い）の放出、またはロボット等の機械動作などであってもよい。
【０１００】
このような電子機器１０００は、医療、ヘルスケア、エンターテイメント、セキュリティ、ペットまたは動物、ロボティクス、店頭販売、および一般業務などの幅広い応用が可能である。
【０１０１】
例えば、電子機器１０００によれば、ストレス度合いに基づいて、麻酔で動けない患者の苦痛度を表示することで、経時的な抗鬱剤の効果を客観的に表示することが可能である。また、電子機器１０００によれば、対象のストレス度合いに基づいて、ストレス度合いを低減するパターンマッチングによる音楽の選曲もしくは配信、または香りの放出を行うことで、対象をストレス低減状態に誘導することが可能である。また、電子機器１０００によれば、対象のストレス度合いに基づいて、ゲームの難易度を切り替えたり、映画、またはアミューズメントのシーンを切り替えたりすることが可能である。
【０１０２】
また、電子機器１０００によれば、対象の状態に基づいて、乗り物または工場装置の安全レベルを自動的に設定することが可能である。また、電子機器１０００によれば、ペット等の精神的状態に基づいた色の発光を行うことで、ペットの感情を飼い主に共有させることが可能である。また、電子機器１０００によれば、対象の精神的状態に基づいて、該精神的状態を緩和するようにロボット等の動作を制御することが可能である。また、電子機器１０００によれば、顧客の精神的状態を把握することで、顧客の精神的状態に対応したおすすめ商品を表示することが可能である。さらには、電子機器１０００によれば、社員の精神的状態を発光デバイス等で表示することで、効率的な業務の遂行を促すことが可能である。
【０１０３】
なお、判断部１６０、および駆動部１７０は、例えば、ＣＰＵ、ＲＡＭ、およびＲＯＭなどのハードウェアと、各構成の動作を制御するソフトウェアとの協働によって実現されてもよい。また、判断部１６０、および駆動部１７０は、酵素センサ１とは別体のスマートフォン、またはパーソナルコンピュータ等の情報処理装置であってもよい。
【０１０４】
＜３．具体例＞
続いて、図１０〜図１８を参照して、本開示の各実施形態に対応する具体例について説明する。
【０１０５】
本開示の第１の実施形態に係る酵素センサ１は、電子発生カプセル１４０の外膜１４１に含まれる基質と、内溶液１４３に含まれる酵素とを変更することで、種々の酵素を検出することが可能である。以下では、アミラーゼを検出対象の酵素とする場合の酵素センサの例を第１の具体例として示し、リパーゼを検出対象の酵素とする場合の酵素センサの例を第２の具体例として示し、スクラーゼを検出対象の酵素とする場合の酵素センサの例を第３の具体例として示す。
【０１０６】
なお、第１〜第３の具体例において、第１の実施形態で説明した各構成と同名の構成の機能等については、実質的に同様であるため、ここでの説明は省略する。
【０１０７】
（３．１．第１の具体例）
まず、図１０〜図１５を参照して、第１の具体例に係る酵素センサ２について説明する。図１０は、第１の具体例に係る酵素センサ２の構造を示す斜視図であり、図１１は、第１の具体例に係る酵素センサ２の変形例を示す斜視図である。
【０１０８】
図１０に示すように、第１の具体例に係る酵素センサ２は、ロジック部２５０と、一対の電極２１０、２２０と、電子伝達層２３０と、電子発生カプセル２４０と、を備える。第１の具体例に係る酵素センサ２は、例えば、唾液中のアミラーゼの量を検出することによって、酵素センサ２を装着する対象の精神的ストレスの度合いを見積もるセンサである。
【０１０９】
ロジック部２５０は、一対の電極２１０、２２０のアノード側と電気的に接続するように設けられる。ロジック部２５０は、例えば、ビアおよびトランジスタ等が形成されたシリコン基板であってもよい。
【０１１０】
一対の電極２１０、２２０は、電子伝達層２３０を挟持する平行の平板であり、例えば、銀（Ａｇ）等で形成されてもよい。一対の電極２１０、２２０の長手方向の長さは、例えば、５００μｍ程度であってもよい。
【０１１１】
電子伝達層２３０は、電子を受容可能な電解質を含む溶液をゲル化した層であり、一対の電極２１０、２２０によって挟持される。また、電子伝達層２３０の一対の電極２１０、２２０によって挟持されない一面には、３つの凹構造が形成されてもよい。電子伝達層２３０は、例えば、ゲル化したフェリシアン化カリウム溶液にて形成されてもよい。
【０１１２】
電子発生カプセル２４０は、例えば、直径が１００μｍの略球形状であり、でんぷんからなる外膜２４１で、グルコースオキシダーゼ、マルターゼ、およびＰＭＥＨを含む内溶液２４３を内包する構造を有する。例えば、電子伝達層２３０の３つの凹構造の内部には、それぞれ２個ずつの電子発生カプセル２４０が保持されていてもよい。
【０１１３】
さらに、電子伝達層２３０の凹構造を含む反応領域は、陽イオン交換膜で覆われていてもよい。陽イオン交換膜によれば、アミラーゼを含む唾液等の水分によって電子伝達層２３０に含まれるフェリシアン化物イオンが溶出することを防止することができる。
【０１１４】
このような酵素センサ２では、一対の電極２１０、２２０の間に４００ｍＶの正負のパルス電圧を１秒程度印加することで、アミラーゼの量に対応した電流値をロジック部２５０にて読み取ることが可能である。なお、酵素センサ２では、アミラーゼによる酵素反応に掛かる時間を３０秒程度とし、３２秒周期でアミラーゼの量を検出してもよい。
【０１１５】
続いて、図１１を参照して、第１の具体例に係る酵素センサ２の変形例について説明する。第１の具体例に係る酵素センサ２の変形例は、電子伝達層２３１にアミラーゼとの反応領域が複数設けられており、機械的制御によってアミラーゼと反応する電子伝達層２３１の反応領域を切り替える例である。
【０１１６】
図１１に示すように、変形例に係る酵素センサ２Ａでは、一対の電極２１１、２２１、および電子伝達層２３１が一方向に延伸して設けられており、電子伝達層２３１に設けられた複数の凹構造の一部の開口は、遮蔽板２８０で覆われている。
【０１１７】
遮蔽板２８０は、電子伝達層２３１の凹構造に保持された電子発生カプセル２４０と、アミラーゼが含まれる唾液とを離隔する。また、遮蔽板２８０は、可動するように設けられており、電子発生カプセル２４０の外膜に含まれるでんぷんの消費量に応じて、遮蔽していた電子伝達層２３１の凹構造の開口を開放する。例えば、ロジック部２５１は、遮蔽板２８０を制御するＭＥＭＳ（Ｍｉｃｒｏ  Ｅｌｅｃｔｒｏ  Ｍｅｃｈａｎｉｃａｌ  Ｓｙｓｔｅｍ）素子を含み、電子発生カプセル２４０の外膜に含まれるでんぷんの消費量（すなわち、測定電流の積算値）に応じて、遮蔽板２８０の開閉を制御してもよい。
【０１１８】
これによれば、酵素センサ２Ａは、電子発生カプセル２４０の外膜に含まれるでんぷんが消費された場合でも、酵素センサ２Ａ自体を交換することなく、遮蔽板２８０を動かすことで、新たな反応領域を開放し、測定を続行することができる。
【０１１９】
なお、遮蔽板２８０は、平面上を一対の電極２１１、２２１に沿って動くように制御されてもよい。このような場合、アミラーゼが含まれる唾液と、接触可能な反応領域の大きさを常に同じにすることができる。
【０１２０】
遮蔽板２８０の材質は、特に限定されず、例えば、腐食等が少なく、耐久性がある材料であれば、いかなる材料を用いることも可能である。例えば、遮蔽板２８０は、金属、または樹脂で形成されていてもよい。
【０１２１】
次に、図１２〜図１４を参照して、上述した酵素センサ２の装着時の様態について説明する。図１２〜図１４は、酵素センサ２の装着時の様態を示す斜視図である。
【０１２２】
第１の具体例に係る酵素センサ２は、口腔内で、唾液に含まれるアミラーゼの量を検出するセンサであるため、口腔内に装着可能な様態にて実装される。
【０１２３】
例えば、図１２に示すように、酵素センサ２は、マウスピース２０００Ａに実装されてもよい。また、マウスピース２０００Ａには、他にも、加速度センサ、ＧＮＳＳ（Ｇｌｏｂａｌ  Ｎａｖｉｇａｔｉｏｎ  Ｓａｔｅｌｌｉｔｅ  Ｓｙｓｔｅｍ）センサ、ＲＦ（Ｒａｄｉｏ  Ｆｒｅｑｕｅｎｃｙ）モジュール、発電モジュール、および蓄電モジュールなどの各種モジュールが実装されていてもよい。なお、マウスピース２０００Ａには、酵素センサ２と唾液とが接触可能なように、オリフィス（すなわち、開口）が形成されていてもよい。
【０１２４】
また、例えば、図１３に示すように、酵素センサ２は、入れ歯２０００Ｂに実装されてもよい。なお、入れ歯２０００Ｂには、同様に、加速度センサ、ＧＮＳＳセンサ、ＲＦモジュール、発電モジュール、および蓄電モジュールなどの各種モジュールが実装されていてもよい。各種モジュールを入れ歯２０００Ｂに実装する場合、歯の各々に各種モジュールを実装することで、モジュールの交換を歯の交換にて容易に行うことが可能となる。なお、入れ歯２０００Ｂには、酵素センサ２と唾液とが接触可能なように、同様にオリフィスが形成されていてもよい。
【０１２５】
さらに、例えば、図１４に示すように、酵素センサ２は、差し歯２０００Ｃに実装されてもよい。なお、差し歯２０００Ｃには、酵素センサ２と唾液とが接触可能なように、同様にオリフィスが形成されていてもよい。
【０１２６】
さらに、図１５を参照して、第１の具体例に係る酵素センサ２（すなわち、アミラーゼセンサ）の測定結果に基づいて動作する電子機器２１００について説明する。図１５は、第１の具体例に係る電子機器２１００の構成を説明するブロック図である。
【０１２７】
図１５に示すように、第１の具体例に係る電子機器２１００は、通信部２９３と、判断部２６０と、駆動部２７０と、を備える。また、電子機器２１００は、酵素センサ２と通信部２９１とを備えるセンサ２０００から受信したアミラーゼの量に関する情報に基づいて、判断および駆動を行う。
【０１２８】
センサ２０００は、アミラーゼを含む唾液と接触するために、例えば、口腔内に装着される。したがって、センサ２０００と、電子機器２１００とは、無線通信を介して、情報の送受信を行うことが望ましい。通信部２９１、および通信部２９３は、例えば、Ｂｌｕｅｔｏｏｔｈ（登録商標）、またはＷｉ−Ｆｉ（登録商標）に対応したアンテナ、および通信回路であってもよい。
【０１２９】
例えば、電子機器２１００は、ＶＲ（Ｖｉｒｔｕａｌ  Ｒｅａｌｉｔｙ）を実現するゲーム機等の電子機器であってもよい。具体的には、センサ２０００は、ユーザの精神的ストレスに応じたアミラーゼの量を酵素センサ２によって検出し、検出したアミラーゼの量を電子機器２１００に送信する。電子機器２１００は、受信したアミラーゼの量からアミラーゼの活性度を算出し、アミラーゼの活性度に応じた応答を判断部２６０によって判断する。また、判断部２６０によって判断された応答は、駆動部２７０によって出力される。例えば、判断部２６０によって判断された応答は、駆動部２７０によってＶＲ上に表示される人物の行動または動作として出力されてもよい。
【０１３０】
この動作の繰り返しによって、電子機器２１００は、ユーザを無意識のうちに特定の精神的状態に誘導することが可能である。例えば、電子機器２１００は、ＶＲ上でのユーザと人物とのやり取りによって、ユーザの精神的状態をリラックス状態に誘導してもよい。また、電子機器２１００は、ＶＲ上でのユーザと人物との応答によってユーザの精神的状態を恐怖が増長される方向に誘導してもよい。
【０１３１】
なお、電子機器２１００の駆動部２７０による出力は、上記のＶＲ上の表示に限らず、ユーザが知覚可能な種々の出力を用いることが可能である。例えば、駆動部２７０による出力は、テキスト表示、音声再生、音楽演奏、映像表示、発光動作、化合物の放出、または機械的動作のいずれであってもよい。また、電子機器２１００についても、スマートフォン、パーソナルコンピュータ、ウェアラブル端末、またはテレビジョン装置などの種々の様態の電子機器であってもよい。
【０１３２】
（３．２．第２の具体例）
続いて、図１６〜図１７を参照して、第２の具体例に係る酵素センサについて説明する。図１６は、第２の具体例に係る酵素センサの構造の一例を示す斜視図であり、図１７は、第２の具体例に係る酵素センサの構造の他の例を示す斜視図である。
【０１３３】
図１６に示すように、第２の具体例に係る酵素センサ３Ａは、ロジック部３５０と、一対の電極３１０、３２０と、電子伝達層３３１と、電子発生カプセル３４０と、を備える。第２の具体例に係る酵素センサ３Ａは、例えば、唾液中のリパーゼの量を検出することによって、酵素センサ３Ａを装着する対象の膵臓の病気の有無を予測するセンサである。
【０１３４】
ロジック部３５０は、一対の電極３１０、３２０のアノード側と電気的に接続するように設けられる。ロジック部３５０は、例えば、ビアおよびトランジスタ等が形成されたシリコン基板であってもよい。
【０１３５】
一対の電極３１０、３２０は、電子伝達層３３０を挟持する平行の平板であり、例えば、炭素（Ｃ）等で形成されてもよい。一対の電極３１０、３２０の長手方向の長さは、例えば、１０００μｍ程度であってもよい。
【０１３６】
電子伝達層３３１は、電子を受容可能な電解質を含む溶液をゲル化した層であり、一対の電極３１０、３２０によって挟持される。また、電子伝達層３３１の一対の電極３１０、３２０によって挟持されない一面には、１つの凹構造が形成されてもよい。電子伝達層３３１は、例えば、ゲル化したフェリシアン化カリウム溶液にて形成されてもよい。
【０１３７】
電子発生カプセル３４０は、例えば、直径が２００μｍの略球形状であり、中性脂肪（すなわち、トリグリセリド）からなる外膜３４１で、アシルＣｏＡデヒドロゲナーゼ、ＦＡＤ（フラビンアデニンジヌクレオチド）、脂肪酸チオキナーゼ、およびＰＭＥＨを含む内溶液３４３を内包する構造を有する。例えば、電子伝達層３３１の凹構造の内部には、複数の電子発生カプセル３４０が保持されていてもよい。
【０１３８】
さらに、電子伝達層３３１の凹構造を含む反応領域は、陽イオン交換膜で覆われていてもよい。陽イオン交換膜によれば、リパーゼを含む唾液等の水分によって電子伝達層３３１に含まれるフェリシアン化物イオンが溶出することを防止することができる。
【０１３９】
このような酵素センサ３Ａでは、まず、検出対象であるリパーゼと、外膜３４１に含まれる中性脂肪とが反応し、脂肪酸が生成される。次に、浸透圧の差によって外膜３４１ににじみ出した内溶液３４３に含まれる脂肪酸チオキナーゼと、脂肪酸とが反応することで、アミルＣｏＡが生成される。続いて、内溶液３４３に含まれるアシルＣｏＡデヒドロゲナーゼおよびＦＡＤと、アミルＣｏＡとが反応することで、アミルＣｏＡから電子が取り出される。また、アミルＣｏＡから取り出された電子は、電子伝達層３３１に含まれるフェリシアン化物イオン等によって受容される。これにより、フェリシアン化物イオンは、フェロシアン化物イオンに変化する。
【０１４０】
上記の反応を化学式で記述すると、以下の化学式３〜４のようになる。
【０１４１】
【化２】
2018066227.tif 000006
【０１４２】
したがって、酵素センサ３Ａでは、一対の電極３１０、３２０の間に４００ｍＶの正負のパルス電圧を１秒程度印加することで、リパーゼの量に対応した電流値をロジック部３５０にて読み取ることが可能である。なお、酵素センサ３Ａでは、リパーゼによる酵素反応に掛かる時間を３０秒程度とし、３２秒周期でリパーゼの量を検出してもよい。
【０１４３】
また、第２の具体例に係る酵素センサは、上述した構造以外の構造を採ることも可能である。例えば、図１７に示すように、第２の具体例に係る酵素センサ３Ｂは、複数の凹構造が設けられた電子伝達層３３３を備えていてもよい。図１７に示す酵素センサ３Ｂでは、電子伝達層３３３には、３つの凹構造が設けられ、各凹構造には、２つずつ電子発生カプセル３４０が保持される。このような場合でも、酵素センサ３Ｂは、リパーゼの量を検出することが可能である。
【０１４４】
すなわち、電子伝達層に設けられる凹構造の数、および電子発生カプセルの数は、検出対象の酵素を適切に検出することが可能な任意の数を選択可能であり、特に限定されない。
【０１４５】
（３．３．第３の具体例）
続いて、図１８を参照して、第３の具体例に係る酵素センサ４について説明する。図１８は、第３の具体例に係る酵素センサ４の構造の一例を示す斜視図である。
【０１４６】
図１８に示すように、第３の具体例に係る酵素センサ４は、ロジック部４５０と、一対の電極４１０、４２０と、電子伝達層４３０と、電子発生カプセル４４０と、を備える。第３の具体例に係る酵素センサ４は、例えば、腸液中のスクラーゼの量を検出することによって、酵素センサ４を装着する対象の小腸の状態、および小腸の病気の有無を予測するセンサである。
【０１４７】
ロジック部４５０は、一対の電極４１０、４２０のアノード側と電気的に接続するように設けられる。ロジック部４５０は、例えば、ビアおよびトランジスタ等が形成されたシリコン基板であってもよい。
【０１４８】
一対の電極４１０、４２０は、電子伝達層４３０を挟持する平行の平板であり、例えば、銀（Ａｇ）等で形成されてもよい。一対の電極４１０、４２０の長手方向の長さは、例えば、１０００μｍ程度であってもよい。
【０１４９】
電子伝達層４３０は、電子を受容可能な電解質を含む溶液をゲル化した層であり、一対の電極４１０、４２０によって挟持される。また、電子伝達層４３０の一対の電極４１０、４２０によって挟持されない一面には、３つの凹構造が形成されてもよい。電子伝達層４３０は、例えば、ゲル化したフェリシアン化カリウム溶液にて形成されてもよい。
【０１５０】
電子発生カプセル４４０は、例えば、直径が２００μｍの略球形状であり、ショ糖（すなわち、スクロース）からなる外膜４４１で、グルコースオキシダーゼ、およびＰＭＥＨを含む内溶液４４３を内包する構造を有する。例えば、電子伝達層４３０の３つの凹構造の内部には、それぞれ１個ずつの電子発生カプセル４４０が保持されていてもよい。
【０１５１】
このような酵素センサ４では、まず、検出対象であるスクラーゼと、外膜４４１に含まれるショ糖とが反応し、グルコースおよびフルクトースが生成される。次に、浸透圧の差によって外膜４４１ににじみ出した内溶液４４３に含まれるグルコースオキシダーゼと、グルコースとが反応することで、グルコースから電子が取り出される。また、グルコースから取り出された電子は、電子伝達層４３０に含まれるフェリシアン化物イオン等によって受容される。これにより、フェリシアン化物イオンは、フェロシアン化物イオンに変化する。
【０１５２】
上記の反応を化学式で記述すると、以下の化学式５〜６のようになる。
【０１５３】
【化３】
2018066227.tif 000007
【０１５４】
したがって、酵素センサ４では、一対の電極４１０、４２０の間に４００ｍＶの正負のパルス電圧を１秒程度印加することで、スクラーゼの量に対応した電流値をロジック部４５０にて読み取ることが可能である。なお、酵素センサ４では、スクラーゼによる酵素反応に掛かる時間を３０秒程度とし、３２秒周期でスクラーゼの量を検出してもよい。
【０１５５】
＜４．まとめ＞
以上にて説明したように、本開示の第１の実施形態に係る酵素センサでは、検出対象の酵素の存在を電解質への電子の受容および放出という可逆的な機構によって電流に変換しているため、検出対象の酵素の量をより正確に測定することが可能である。
【０１５６】
また、本開示の第２の実施形態に係る電子機器は、酵素センサによって測定された酵素の量に基づいて、酵素センサが装着された対象の精神的または肉体的状態を判断することで、対象の精神的または肉体的状態に対応した駆動を出力することが可能である。
【０１５７】
なお、上記では、検出対象の酵素の具体例として、アミラーゼ、リパーゼ、およびスクラーゼを例示したが、本開示に係る技術は、かかる例示に限定されない。本開示の一実施形態に係る酵素センサは、電子発生カプセルの外膜に含まれる基質を変更することで、他の酵素の検出にも用いることが可能である。
【０１５８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１６０】
なお、以下のような構成も本開示の技術的範囲に属する。
（１）
一対の電極と、
前記一対の電極で挟持された電子伝達層と、
検出対象の酵素の基質を少なくとも含む膜にて、前記検出対象の酵素以外の酵素を少なくとも１種以上内包し、前記電子伝達層と接する電子発生カプセルと、
を備える、酵素センサ。
（２）
前記電子発生カプセルは、前記基質の少なくとも１段階以上の酵素反応生成物を酸化する酵素を内包する、前記（１）に記載の酵素センサ。
（３）
前記電子発生カプセルの形状は、略球形である、前記（１）または（２）に記載の酵素センサ。
（４）
前記電子伝達層は、電子を受容可能な電解質を含む、前記（１）〜（３）のいずれか一項に記載の酵素センサ。
（５）
前記電子伝達層は、前記電解質を含む溶液をゲル化させた層である、前記（４）に記載の酵素センサ。
（６）
前記電子伝達層には、凹構造が設けられ、
前記電子発生カプセルは、前記凹構造の内部に保持される、前記（１）〜（５）のいずれか一項に記載の酵素センサ。
（７）
少なくとも前記凹構造の開口は、イオン交換膜にて覆われている、前記（６）に記載の酵素センサ。
（８）
前記凹構造は、前記電子伝達層の一面に複数設けられ、かつ前記凹構造の各々の開口は、可動式の遮蔽板によって閉鎖されており、
前記遮蔽板は、前記電子発生カプセルの状態に基づいて、前記凹構造の各々の開口を開放する、前記（６）または（７）に記載の酵素センサ。
（９）
前記検出対象の酵素の検出信号を取得する検出部をさらに備え、
前記検出部は、前記一対の電極の間にパルス電圧を印加することで、前記検出信号を取得する、前記（１）〜（８）のいずれか一項に記載の酵素センサ。
（１０）
前記パルス電圧は、互いに対称な矩形波形の正負のパルス電圧である、前記（９）に記載の酵素センサ。
（１１）
前記検出信号は、所定の時間ごとに取得され、
前記検出信号は、前記検出対象の酵素の量に応じた大きさの電流である、前記（９）または（１０）に記載の酵素センサ。
（１２）
前記検出対象の酵素は、アミラーゼであり、
前記電子発生カプセルの膜に含まれる基質は、でんぷんであり、
前記電子発生カプセルに内包される酵素は、マルターゼおよびグルコースオキシターゼを少なくとも含む、前記（１）〜（１１）のいずれか一項に記載の酵素センサ。
（１３）
一対の電極、前記一対の電極で挟持された電子伝達層、および検出対象の酵素の基質を少なくとも含む膜にて、前記検出対象の酵素以外の酵素を少なくとも１種以上内包し、前記電子伝達層と接する電子発生カプセルを備える酵素センサと、
前記酵素センサにて検出した酵素の量から、前記酵素センサを装着した装着対象の状態を判断する判断部と、
判断された前記装着対象の状態に基づいて駆動する駆動部と、
を備える電子機器。
（１４）
前記駆動部による駆動は、テキスト表示、画像表示、音声再生、音楽再生、発光動作、化合物の放出、または機械的動作のいずれかを少なくとも含む、前記（１３）に記載の電子機器。
（１５）
前記駆動部は、駆動によって前記装着対象の状態を特定の状態に誘導する、前記（１３）または（１４）に記載の電子機器。
【符号の説明】
【０１６１】
１        酵素センサ
１００    センサ部
１１０、１２０    電極
１３０    電子伝達層
１４０    電子発生カプセル
１４１    外膜
１４３    内溶液
１５０    ロジック部
１５１    電圧制御部
１５３    検出部
１５５    アラート部
１５７    出力部
１６０    判断部
１７０    駆動部
１０００    電子機器
【図１】
2018066227.tif 000008
【図２】
2018066227.tif 000009
【図３】
2018066227.tif 000010
【図４】
2018066227.tif 000011
【図５】
2018066227.tif 000012
【図６】
2018066227.tif 000013
【図７Ａ】
2018066227.tif 000014
【図７Ｂ】
2018066227.tif 000015
【図７Ｃ】
2018066227.tif 000016
【図７Ｄ】
2018066227.tif 000017
【図７Ｅ】
2018066227.tif 000018
【図７Ｆ】
2018066227.tif 000019
【図８Ａ】
2018066227.tif 000020
【図８Ｂ】
2018066227.tif 000021
【図８Ｃ】
2018066227.tif 000022
【図９】
2018066227.tif 000023
【図１０】
2018066227.tif 000024
【図１１】
2018066227.tif 000025
【図１２】
2018066227.tif 000026
【図１３】
2018066227.tif 000027
【図１４】
2018066227.tif 000028
【図１５】
2018066227.tif 000029
【図１６】
2018066227.tif 000030
【図１７】
2018066227.tif 000031
【図１８】
2018066227.tif 000032
【国際調査報告】
2018066227.tif 000033
2018066227.tif 000034
2018066227.tif 000035
2018066227.tif 000036